(57)【要約】【課題】トレイ本体を使用位置へ移動させると載置面が広がり、広がった載置面を狭くしたい場合には、載置面を狭くして使用することができるトレイ装置及び画像形成装置を得る。【解決手段】トレイ本体３４を使用位置に向けて回動させることで、補助トレイ４０が収納位置から拡大位置へ移動して、シート部材載置面３５が拡大する。補助トレイ４０が収納位置から拡大位置へ移動してシート部材載置面３５が拡大したが、シート部材載置面３５を狭くさせたい場合がある。このような場合には、補助トレイ４０を拡大位置から収納位置へ移動させ、ストライカー部５４Ａをラッチ部５４Ｂに係合させることで、補助トレイ４０が収納位置で保持される。このように、必要に応じて、補助トレイ４０を拡大位置から収納位置に移動させて収納位置で保持させ、シート部材載置面３５を狭くして使用することができる。【選択図】図１
2010037014.tif 000002
【特許請求の範囲】
【請求項１】
閉止されて装置本体に収納される不使用位置と、開放されてシート部材が載置可能となる使用位置との間を回動可能に前記装置本体に支持されるトレイ本体と、
前記トレイ本体に収納される収納位置と、前記トレイ本体から突出してシート部材が載置される載置面を拡大させる拡大位置との間を移動可能に前記トレイ本体に保持される補助トレイと、
前記補助トレイを拡大位置へ付勢する付勢手段と、
前記補助トレイを拡大位置から収納位置に移動させると前記補助トレイを収納位置で保持する保持手段と、
前記補助トレイに設けられ、前記トレイ本体を不使用位置に回動させると前記装置本体に当接し、前記保持手段による保持状態を解除する解除手段と、
を備えるトレイ装置。
【請求項２】
前記保持手段は、
前記補助トレイに設けられたストライカー部と、
前記トレイ本体に設けられ、前記ストライカー部を押し込むことで前記ストライカー部と係合し、係合状態の前記ストライカー部を再度押し込むと係合状態が解除されるラッチ部と、を備え、
前記解除手段は、前記トレイ本体を使用位置から不使用位置へ移動させると前記装置本体と当接し、前記補助トレイを押圧して前記ストライカー部を前記ラッチ部へ押し込む突起部である請求項１に記載のトレイ装置。
【請求項３】
前記付勢手段は、
基端部が前記トレイ本体に回転可能に支持されたアーム部材と、
前記アーム部材の先端部で前記補助トレイを押圧して拡大位置へ移動するように前記アーム部材に付勢力を付与する付勢部材と、
を備える請求項１又は２に記載されたトレイ装置。
【請求項４】
前記アーム部材に抵抗力を付与して前記アーム部材の回動速度を規制するダンパー部材を備える請求項３のトレイ装置。
【請求項５】
請求項１〜４何れか１項に記載されたトレイ装置を備えた画像形成装置。
【発明の詳細な説明】
【技術分野】
【０００１】
本発明は、トレイ装置及びこれを備えた画像形成装置に関する。
【背景技術】
【０００２】
特許文献１に記載の画像形成装置に採用されたトレイ装置では、トレイ装置に設けられたトレイ本体を使用位置へ回動させると、トレイ本体に設けられた圧縮コイルバネの付勢力でトレイ本体に収納された補助トレイが、トレイ本体と連設する連設位置へ移動するようになっている。
【０００３】
つまり、トレイ本体に補助トレイを連設させることで載置面が広がり、大きなサイズのシート部材をトレイ装置に載置できる構造となっている。
【特許文献１】実開平４−６８０５０号公報
【発明の開示】
【発明が解決しようとする課題】
【０００４】
しかしながら、このトレイ装置によると、使用位置のトレイ本体に補助トレイを収納しても圧縮コイルバネの付勢力で補助トレイは連設位置へ移動してしまうため、載置面を狭くして使用することができなかった。
【０００５】
本発明は、上記事実を考慮し、トレイ本体を使用位置へ移動させると載置面が広がり、広がった載置面を狭くしたい場合には、載置面を狭くして使用することができるトレイ装置を得ることが課題である。
【課題を解決するための手段】
【０００６】
本発明の請求項１に係るトレイ装置は、閉止されて装置本体に収納される不使用位置と、開放されてシート部材が載置可能となる使用位置との間を回動可能に前記装置本体に支持されるトレイ本体と、前記トレイ本体に収納される収納位置と、前記トレイ本体から突出してシート部材が載置される載置面を拡大させる拡大位置との間を移動可能に前記トレイ本体に保持される補助トレイと、前記補助トレイを拡大位置へ付勢する付勢手段と、前記補助トレイを拡大位置から収納位置に移動させると前記補助トレイを収納位置で保持する保持手段と、前記補助トレイに設けられ、前記トレイ本体を不使用位置に回動させると前記装置本体に当接し、前記保持手段による保持状態を解除する解除手段と、を備える。
【０００７】
上記構成によれば、トレイ本体は閉止されて装置本体に収納される不使用位置と、開放されてシート部材が載置可能となる使用位置との間を回動可能に装置本体に支持されている。
【０００８】
さらに、補助トレイは、トレイ本体に収納される収納位置と、トレイ本体から突出してシート部材が載置される載置面を拡大させる拡大位置との間を移動可能にトレイ本体に支持されている。また、付勢手段が補助トレイを拡大位置へ付勢している。
【０００９】
さらに、保持手段は補助トレイを拡大位置から収納位置に移動させると補助トレイを収納位置で保持し、また、解除手段は、トレイ本体を不使用位置に回動させると装置本体に当接し、保持手段による保持状態を解除する。
【００１０】
つまり、トレイ本体を不使用位置に移動させると、解除手段によって保持手段の保持状態が解除され、補助トレイは付勢手段の付勢力で拡大位置へ移動しようとするが、解除手段が装置本体と当接しているため補助トレイの拡大位置への移動が阻止される。そこで、保持状態が解除された状態で、トレイ本体を不使用位置から使用位置へ回動させると、解除手段が装置本体と離間するため、付勢手段の付勢力で補助トレイは拡大位置へ移動する。
【００１１】
このように、保持手段を設けることで、使用位置に配置されたトレイ本体から補助トレイが突出して載置面を拡大させる拡大位置に配置されている場合に、必要に応じて、補助トレイを拡大位置から収納位置に移動させて保持手段によって収納位置で保持させることで、載置面を狭くして使用することができる。
【００１２】
また、付勢手段及び解除手段を設けることで、トレイ本体を不使用位置から使用位置へ回動させると補助トレイが付勢手段の付勢力で拡大位置へ移動するため、トレイ本体を不使用位置から使用位置へ回動させるだけで載置面を広げることができる。
【００１３】
本発明の請求項２に係るトレイ装置は、請求項１記載において、前記保持手段は、前記補助トレイに設けられたストライカー部と、前記トレイ本体に設けられ、前記ストライカー部を押し込むことで前記ストライカー部と係合し、係合状態の前記ストライカー部を再度押し込むと係合状態が解除されるラッチ部と、を備え、前記解除手段は、前記トレイ本体を使用位置から不使用位置へ移動させると前記装置本体と当接し、前記補助トレイを押圧して前記ストライカー部を前記ラッチ部へ押し込む突起部である。
【００１４】
上記構成によれば、補助トレイを拡大位置から収納位置へ移動させると、補助トレイに設けられたストライカー部が、トレイ本体に設けられたラッチ部に押し込まれてラッチ部と係合する。これにより、補助トレイが収納位置で保持される。
【００１５】
また、突起部が、トレイ本体を使用位置から不使用位置へ回動させると装置本体と当接し、収納位置に配置される補助トレイを押圧してストライカー部をラッチ部へ押し込みストライカー部とラッチ部の係合が解除される。
【００１６】
このように、簡易な構成で補助トレイを収納位置に保持し、さらに、簡易な構成で保持状態を解除することができる。
【００１７】
本発明の請求項３に係るトレイ装置は、請求項１又は２記載において、前記付勢手段は、基端部が前記トレイ本体に回転可能に支持されたアーム部材と、前記アーム部材の先端部で前記補助トレイを押圧して拡大位置へ移動するように前記アーム部材に付勢力を付与する付勢部材と、を備える。
【００１８】
上記構成によれば、付勢部材がトレイ本体に回転可能に支持されたアーム部材の先端部で補助トレイを押圧して拡大位置へ付勢する。
【００１９】
このように、簡易な構成で、補助トレイを拡大位置に付勢することができる。
【００２０】
本発明の請求項４に係るトレイ装置は、請求項３記載において、前記アーム部材に抵抗力を付与して前記アーム部材の回動速度を規制するダンパー部材を備える。
【００２１】
上記構成によれば、ダンパー部材がアーム部材へ抵抗力を付与してアーム部材の回動速度を規制する。このため、急激に補助トレイが拡大位置へ移動することはなく、トレイ装置の操作感覚を向上させることができる。
【００２２】
本発明の請求項５に係る画像形成装置は、請求項１〜４何れか１項に記載されたトレイ装置を備える。
【００２３】
上記構成によれば、画像形成装置には、請求項１〜４何れか１項に記載されたトレイ装置が設けられている。このため、トレイ本体を使用位置へ移動させると載置面が広がり、広がった載置面を狭くしたい場合には、載置面を狭くして使用することができる。
【発明の効果】
【００２４】
本発明によれば、トレイ本体を使用位置へ移動させると載置面が広がり、広がった載置面を狭くしたい場合には、載置面を狭くして使用することができる。
【発明を実施するための最良の形態】
【００２５】
本発明の実施形態に係るトレイ装置が採用された画像形成装置の一例を図１〜図９に従って説明する。
【００２６】
（全体構成）
図７、図９に示されるように、画像形成装置としてのインクジェット記録装置１０は、液滴吐出ヘッドとしてのインクジェット記録ヘッド１２が装着されるキャリッジ１４と、キャリッジ１４を主走査方向Ｍに沿って走査させる主走査機構１６と、記録媒体としてのシート部材Ｐを副走査方向Ｓに沿って搬送する副走査機構１８と、メンテナンスステーション２０とを有している。
【００２７】
インクジェット記録ヘッド１２は、インク滴を吐出するノズル（図示省略）がシート部材Ｐと対向するようにキャリッジ１４に装着され、主走査機構１６によって主走査方向Ｍに移動しつつノズルからインク滴を吐出することにより、シート部材Ｐの一定のバンド領域に対して画像の記録を行う。主走査方向への１回の移動が終了すると、副走査機構１８によってシート部材Ｐが副走査方向Ｓに搬送され、再びキャリッジ１４が主走査方向Ｍに移動しながらバンド領域に対して画像の記録を行う。こうした動作を複数回繰り返すことにより、シート部材Ｐの全面にわたって画像記録を行うことができる。
【００２８】
さらに、インクジェット記録装置１０の前面には、排出トレイ２４が設けられている。そして、排出トレイ２４を閉状態（図９参照）から開放させて開状態（図７参照）とすることで、画像が形成されたシート部材Ｐは、排出トレイ２４上に排出されるようになっている。
【００２９】
（要部構成）
インクジェット記録装置１０の上部には、画像が形成されるシート部材Ｐが載置されるトレイ装置として給紙トレイ装置３０が設けられている。給紙トレイ装置３０は、インクジェット記録装置１０の装置本体１０Ａに回転軸２８を中心に回動可能に支持されるトレイ本体３４を備えて構成されている。
【００３０】
トレイ本体３４は、回転軸と反対側に開口３４Ａを備える箱状とされており、閉止されて装置本体１０Ａに収納される不使用位置（図９参照）と、開放されてシート部材Ｐが載置可能となる使用位置（図７参照）との間を回動可能とされている。また、回転軸２８には、回転軸２８に抵抗力を付与してトレイ本体３４の回動速度を規制するダンパー部材２６と、不使用位置に配置されたトレイ本体３４を使用位置へ回動するように付勢するトーションスプリング（図示省略）が設けられている。
【００３１】
そして、トレイ本体３４は、プッシュプッシュ式のロック機構により不使用位置に保持されている。
【００３２】
詳細には、使用位置に配置されるトレイ本体３４のシート部材載置面３５の端部には、プッシュプッシュ式のロック機構を構成する錨状のストライカー部３６が設けられている。
【００３３】
さらに、図４に示されるように、装置本体１０Ａには、トレイ本体３４に設けられたストライカー部３６を押し込むことでストライカー部３６と係合してトレイ本体３４を不使用位置に保持し、係合状態のストライカー部３６を再度押し込むと係合状態が解除されるラッチ部３８が設けられている。
【００３４】
また、図１に示されるように、トレイ本体３４へ開口３４Ａから収納され、トレイ本体３４に収納される収納位置（図３参照）と、トレイ本体３４から突出してシート部材Ｐが載置されるシート部材載置面３５を拡大させる拡大位置（図１参照）との間を移動可能にトレイ本体３４に支持される箱状の補助トレイ４０が設けられている。
【００３５】
詳細には、箱状のトレイ本体３４の内部であって、載置されるシート部材Ｐのシート材幅方向（図中矢印Ａ方向）両端部には、開口３４Ａに向けて延びる凹状のレール部４２が形成されている。さらに、このレール部４２に嵌合する凸部４４が補助トレイ４０のシート材幅方向両端部に設けられており、補助トレイ４０がレール部４２に沿って移動可能となっている。
【００３６】
さらに、補助トレイ４０は、トレイ本体３４から突出する拡大位置で図示せぬ規制部材と当接し、トレイ本体３４から脱落しないようになっている。また、トレイ本体３４の内部には、補助トレイ４０を拡大位置へ付勢するアーム部材４６と、アーム部材４６の回転軸４６Ａに設けられる付勢部材としての捩じりコイルスプリング４８が設けられている。
【００３７】
詳細には、アーム部材４６の基端部は、トレイ本体３４の底部近傍に回転軸４６Ａにて回転可能に支持され、アーム部材４６の先端部は補助トレイ４０の底板４０Ａに当接している。
【００３８】
さらに、アーム部材４６の回転軸４６Ａの周りには、捩じりコイルスプリング４８が配置され、捩じりコイルスプリング４８の一端は、トレイ本体３４に固定され、捩じりコイルスプリング４８の他端は、アーム部材４６に引っ掛けられている。この構成により、捩じりコイルスプリング４８の付勢力でアーム部材４６の先端部が補助トレイ４０の底板４０Ａを押圧し、補助トレイ４０を拡大位置へ付勢するようになっている。
【００３９】
また、棒状に延びるアーム部材４６の中間部には、ダンパー部材としての円盤状のギア部材５０が回転可能にアーム部材４６に支持されている。さらに、ギア部材５０のギア歯と噛み合うラック部５２がトレイ本体３４の内壁面に設けられており、アーム部材４６が回動するとギア部材５０がラック部５２と噛み合いながら回転するようになっている。
【００４０】
このギア部材５０は回転するとギア部材５０の回転軸に抵抗を生じるようになっている。つまり、アーム部材４６の回動動作に伴なってギア部材５０を回転させることで、アーム部材４６に抵抗力を付与してアーム部材４６の回動速度が規制されるようになっている。
【００４１】
また、箱状の補助トレイ４０の内部には、補助トレイ４０に延出自在に保持されたサブトレイ５６が設けられている。
【００４２】
詳細には、図２に示されるように、箱状の補助トレイ４０の内部であって、シート材幅方向（図中矢印Ａ方向）両端部には、凹状のレール部５８が形成されている。さらに、このレール部５８に嵌合する凸部６２がサブトレイ５６のシート材幅方向両端部に設けられており、サブトレイ５６がレール部５８に沿って移動可能となっている。
【００４３】
さらに、サブトレイ５６は、補助トレイ４０から突出してシート部材Ｐの載置面を拡大する位置で、図示せぬ規制部材と当接して補助トレイ４０から脱落しないようになっている。また、ユーザーはサブトレイ５６を把持してレール部５８に沿って移動させ、補助トレイ４０から引き出し、又は補助トレイ４０へ収納することで移動させることができる。そして、サブトレイ５６は、レール部５８と凸部６２との間で生じる摩擦力によって任意の位置で停止するようになっている。
【００４４】
また、図１に示されるように、拡大位置に配置される補助トレイ４０を収納位置（図３参照）に移動させると、捩じりコイルスプリング４８の付勢力に対抗して補助トレイ４０を収納位置で保持する保持手段としてプッシュプッシュ式のロック機構５４が設けられている。
【００４５】
このロック機構５４は、補助トレイ４０に支持されたサブトレイ５６の底部に設けられた錨状のストライカー部５４Ａを備えて構成されている。ストライカー部５４Ａは、補助トレイ４０の底板が切り欠かれた切欠部４０Ｂから下方へ突出するように設けられている。さらに、トレイ本体３４に設けられ、補助トレイ４０を収納位置に移動させると、補助トレイ４０に収納されたサブトレイ５６に備えられるストライカー部５４Ａが押し込まれるラッチ部５４Ｂを備えている。
【００４６】
詳細には、ストライカー部５４Ａがラッチ部５４Ｂに押し込まれると、ラッチ部５４Ｂはストライカー部５４Ａと係合して補助トレイ４０を収納位置に保持し、係合状態のストライカー部５４Ａを再度ラッチ部５４Ｂへ押し込むとラッチ部５４Ｂとストライカー部５４Ａの係合状態が解除されるようになっている。つまり、補助トレイ４０に間接的に設けられたストライカー部５４Ａとトレイ本体３４に設けられたラッチ部５４Ｂを係合状態にすることで補助トレイ４０を収納位置に保持するようになっている。
【００４７】
さらに、補助トレイ４０に支持されるサブトレイ５６の先端部には、トレイ本体３４を不使用位置に回動させると装置本体１０Ａに当接して底部に取れリ付けられるストライカー部５４Ａをラッチ部５４Ｂへ押し込む凸状の突起部６０が設けられている。
【００４８】
図５（Ａ）（Ｂ）（Ｃ）（Ｄ）に示されるように、ストライカー部５４Ａとラッチ部５４Ｂを係合させてサブトレイ５６が収納される補助トレイ４０を収納位置に保持した状態で、トレイ本体３４を使用位置  （図５（Ａ）参照）から不使用位置（図５（Ｄ）参照）に向けて回動させると、トレイ本体３４に設けられたストライカー部３６と装置本体１０Ａに設けられたラッチ部３８が係合する。図５（Ｂ）に示されるように、ストライカー部３６とラッチ部３８が係合すると共に、突起部６０と装置本体１０Ａが当接する。突起部６０が装置本体１０Ａと当接することで、ストライカー部５４Ａがラッチ部５４Ｂに押し込まれ、ストライカー部５４Ａとラッチ部５４Ｂとの係合が解除されるようになっている。しかし、トレイ本体３４が不使用位置に配置された状態では、突起部６０が装置本体１０Ａと当接しているため、補助トレイ４０は拡大位置へ移動しない。
【００４９】
（作用・効果）
図９に示されるように、インクジェット記録装置１０を作動させて、シート部材Ｐに画像を形成される場合には、先ず、画像が形成されたシート部材Ｐを排出する排出トレイ２４を開放させなければならない。そこで、図６に示されるように、ユーザーは排出トレイ２４を開放させてシート部材Ｐを排出トレイ２４へ排出可能とする。
【００５０】
次に、不使用位置（図９参照）に配置される給紙トレイ装置３０のトレイ本体３４を使用位置へ回動させ、画像が形成されるシート部材Ｐをトレイ本体３４のシート部材載置面３５へ載置可能とする。
【００５１】
図４に示されるように、トレイ本体３４を使用位置へ回動させる場合は、トレイ本体３４を上方から下方へ向けて押圧し（矢印Ｐ１参照）、トレイ本体３４に設けられたストライカー部３６を装置本体１０Ａに備えられたラッチ部３８に押し込み、ストライカー部３６とラッチ部３８の係合を解除する。
【００５２】
図６に示されるように、ストライカー部３６とラッチ部３８が解除されると、トレイ本体３４の回転軸２８（図１参照）に設けられたトーションスプリング（図示省略）の付勢力でトレイ本体３４は、不使用位置から使用位置へ回動する。使用位置へ向けて回動する際に、トレイ本体３４の回転軸２８に設けられたダンパー部材２６（図１参照）が、回転軸２８に抵抗力を付与してトレイ本体３４の回動速度を規制する。このため、トレイ本体３４は急激に回動することはない。
【００５３】
一方、図５（Ｄ）に示されるように、トレイ本体３４が不使用位置に配置されると突起部６０が装置本体１０Ａと当接することで、ストライカー部５４Ａがラッチ部５４Ｂに押し込まれ、ストライカー部５４Ａとラッチ部５４Ｂとの係合が解除されるようになっている。そして、トレイ本体３４が不使用位置に配置された状態では、突起部６０が装置本体１０Ａと当接しているため、補助トレイ４０は拡大位置へ移動しない。
【００５４】
しかし、トレイ本体３４が使用位置に向けて回動するため、突起部６０が装置本体１０Ａから離間し、図１に示されるように、捩じりコイルスプリング４８の付勢力でアーム部材４６の先端部が補助トレイ４０の底板４０Ａを押圧し、補助トレイ４０は拡大位置へ移動する。
【００５５】
つまり、図６に示されるように、トレイ本体３４を使用位置に向けて回動させることで、補助トレイ４０が収納位置から拡大位置へ移動して、シート部材載置面３５が拡大する。
【００５６】
さらに、シート部材載置面３５を拡大させたい場合は、図７に示されるように、補助トレイ４０に収納されたサブトレイ５６をレール部５８（図２参照）に沿って引き出すことでシート部材載置面３５が拡大される。
【００５７】
これに対し、補助トレイ４０が収納位置から拡大位置へ移動してシート部材載置面３５が拡大したが、シート部材載置面３５を狭くさせたい場合がある。このような場合には、図３、図８に示されるように、補助トレイ４０を拡大位置から収納位置へ移動させ、ストライカー部５４Ａをラッチ部５４Ｂに係合させることで、補助トレイ４０が捩じりコイルスプリング４８の付勢力に対抗して収納位置で保持される。
【００５８】
一方、シート部材Ｐに画像を形成させた後、インクジェット記録装置１０の使用を止めてトレイ本体３４を不使用位置へ回動させる場合は、先ず、図６、図７に示されるように、サブトレイ５６をレール部５８（図２参照）に沿って移動させ、補助トレイ４０の内部に収納する。
【００５９】
さらに、図１、図８に示されるように、補助トレイ４０をレール部４２に沿って拡大位置から収納位置へ移動させ、ストライカー部５４Ａとラッチ部５４Ｂを係合させる。そして、この状態のまま、図９に示されるように、トレイ本体３４を不使用位置へ回動させる。
【００６０】
図５（Ａ）（Ｂ）（Ｃ）（Ｄ）に示されるように、トレイ本体３４を不使用位置へ回動させると、トレイ本体３４に設けられたストライカー部３６と装置本体１０Ａに設けられたラッチ部３８が係合する。さらに、図５（Ｄ）に示されるように、突起部６０と装置本体１０Ａが当接し、ストライカー部５４Ａがラッチ部５４Ｂに押し込まれ、ストライカー部５４Ａとラッチ部５４Ｂとの係合が解除される。しかし、トレイ本体３４が不使用位置に配置された状態では、突起部６０が装置本体１０Ａと当接しているため、補助トレイ４０は捩じりコイルスプリング４８の付勢力によって拡大位置へ移動することはない。
【００６１】
このように、ストライカー部５４Ａ及びラッチ部５４Ｂを設けることで、使用位置に回動させたトレイ本体３４から補助トレイ４０が突出して拡大位置に配置されている場合に、必要に応じて、補助トレイ４０を拡大位置から収納位置に移動させて収納位置で保持させ、シート部材載置面３５を狭くして使用することができる。
【００６２】
また、不使用位置にトレイ本体３４を回動させと突起部６０を装置本体１０Ａへ当接させて、ストライカー部５４Ａとラッチ部５４Ｂとの係合を解除させることで、次回の使用時に、トレイ本体３４を使用位置へ回動させると補助トレイ４０が捩じりコイルスプリング４８の付勢力で拡大位置へ移動する。このように、トレイ本体３４を使用位置へ回動させるだけでシート部材載置面を広げることができる。
【００６３】
また、補助トレイ４０を収納位置へ移動させてストライカー部５４Ａをラッチ部５４Ｂへ押し込んでストライカー部５４Ａとラッチ部５４Ｂを係合させ、突起部６０を装置本体１０Ａと当接させてストライカー部５４Ａを再度ラッチ部５４Ｂへ押し込むことで係合を解除させる構成とすることで、簡易な構成で保持状態を解除することができる。
【００６４】
また、捩じりコイルスプリング４８の付勢力でトレイ本体３４に回転可能に支持されたアーム部材４６の先端部が補助トレイ４０を押圧する構成となっている。このため、簡易な構成で、補助トレイ４０を拡大位置に付勢することができる。
【００６５】
また、ギア部材５０がアーム部材４６へ抵抗力を付与してアーム部材４６の回動速度を規制するため、急激に補助トレイ４０が拡大位置へ移動することはなく、給紙トレイ装置３０の操作感覚を向上させることができる。
【００６６】
また、トレイ本体３４を不使用位置から使用位置に回動させる際に、トレイ本体３４の回転軸２８に設けられたトーションスプリングの付勢力でトレイ本体３４な使用位置へ回動するが、ダンパー部材２６が回転軸２８に抵抗力を付与してトレイ本体３４の回動速度を規制するため、給紙トレイ装置３０の操作感覚を向上させることができる。
【００６７】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、突起部６０をサブトレイ５６に取り付けて、補助トレイ４０に対して突起部６０を間接的に設けたが、突起部を補助トレイに直接設けてもよい。
【００６８】
また、上記実施形態では、ストライカー部５４Ａをサブトレイ５６に取り付けて、補助トレイ４０に対してストライカー部５４Ａを間接的に設けたが、ストライカー部を補助トレイに直接設けてもよい。
【００６９】
また、上記実施形態では、本発明にかかるトレイ装置を給紙トレイ装置３０に採用した例について説明したが、排紙トレイ装置等に採用してもよい。
【図面の簡単な説明】
【００７０】
【図１】本発明の実施形態に係るトレイ装置を示し、補助トレイを拡大位置に配置した状態を示した斜視図である。
【図２】本発明の実施形態に係るトレイ装置を示し、サブトレイを補助トレイから引き出した状態を示した斜視図である。
【図３】本発明の実施形態に係るトレイ装置を示し、補助トレイを収納位置に配置した状態を示した斜視図である。
【図４】本発明の実施形態に係るトレイ装置を示し、トレイ本体を不使用位置に配置した状態を下方から示した斜視図である。
【図５】（Ａ）（Ｂ）（Ｃ）（Ｄ）本発明の実施形態に係るトレイ装置を示し、トレイ本体の作動状況を示した側面図である。
【図６】本発明の実施形態に係るトレイ装置が採用された画像形成装置を示し、補助トレイを拡大位置に配置した状態を示した斜視図である。
【図７】本発明の実施形態に係るトレイ装置が採用された画像形成装置を示し、サブトレイを補助トレイから引き出した状態を示した斜視図である。
【図８】本発明の実施形態に係るトレイ装置が採用された画像形成装置を示し、補助トレイを収納位置に配置した状態を示した斜視図である。
【図９】本発明の実施形態に係るトレイ装置が採用された画像形成装置を示し、トレイ本体を不使用位置に配置した状態を示した斜視図である。
【符号の説明】
【００７１】
１０        インクジェット記録装置（画像形成装置）
１０Ａ      装置本体
３０        給紙トレイ装置（トレイ装置）
３４        トレイ本体
３５        シート部材載置面（載置面）
４０        補助トレイ
４６        アーム部材
４８        捩じりコイルスプリング（付勢部材）
５０        ギア部材（ダンパー部材）
５４        ロック機構（保持手段）
５４Ａ      ストライカー部
５４Ｂ      ラッチ部
６０        突起部
【図１】
2010037014.tif 000003
【図２】
2010037014.tif 000004
【図３】
2010037014.tif 000005
【図４】
2010037014.tif 000006
【図５】
2010037014.tif 000007
【図６】
2010037014.tif 000008
【図７】
2010037014.tif 000009
【図８】
2010037014.tif 000010
【図９】
2010037014.tif 000011